(57)【要約】【課題】識別力に優れた点眼容器を提供する。【解決手段】点眼容器２は、形状、模様若しくは色彩またはこれらの結合である識別表示３ａが容器本体２１の側面に付され、かつ、識別表示３ａと同一または相似の識別表示３ｂが、容器本体２１の取出口に脱着可能に装着される蓋部２２の側面に付されることにより、容器本体２１と蓋部２２との一体性が識別可能となる点眼容器であって、蓋部２２を容器本体２１に装着した状態でこれらの識別表示３ａ，３ｂが視認できるシーリングラベル１で包装される。【選択図】図４
2016078941.tif 000002
【特許請求の範囲】
【請求項１】
形状、模様若しくは色彩またはこれらの結合である識別表示が容器本体の側面に付され、かつ、前記識別表示と同一または相似の識別表示が、前記容器本体の取出口に脱着可能に装着される蓋部の側面に付されることにより、前記容器本体と前記蓋部との一体性が識別可能となる点眼容器であって、前記蓋部を前記容器本体に装着した状態でこれらの識別表示が視認できる、シーリングラベルで包装された点眼容器。
【請求項２】
形状、模様若しくは色彩またはこれらの結合である識別表示が容器本体の側面に付され、当該容器本体の取出口に脱着可能な蓋部を前記容器本体に装着した状態で前記識別表示が視認できるシーリングラベルで包装される点眼容器において、
前記識別表示と同一または相似の識別表示が、前記シーリングラベルのうち、前記蓋部の全部または一部を被覆する上部領域、又は、前記上部領域および前記上部領域と前記容器本体の全部または一部を被覆する下部領域との間に位置する切取領域から構成される領域に付されることにより、前記容器本体と前記蓋部との一体性が識別可能となり、
前記切取領域と前記上部領域との境界および前記切取領域と前記下部領域との境界に切取線が設けられ、前記シーリングラベルの開封後において、前記上部領域が前記蓋部に付着していることにより前記容器本体と前記蓋部との一体性が識別可能となる点眼容器。
【請求項３】
形状、模様若しくは色彩またはこれらの結合である識別表示が、容器本体の取出口に脱着可能に装着される蓋部の側面に付され、前記蓋部を前記容器本体に装着した状態で前記識別表示が視認できるシーリングラベルで包装される点眼容器において、
前記識別表示と同一または相似の識別表示が、前記シーリングラベルのうち、前記容器本体の全部または一部を被覆する下部領域に付されることにより、前記容器本体と前記蓋部との一体性が識別可能となり、
前記蓋部の全部または一部を被覆する上部領域と前記下部領域との境界に切取線が設けられ、前記シーリングラベルの開封後において、前記下部領域が前記容器本体に付着していることにより前記容器本体と前記蓋部との一体性が識別可能となる点眼容器。
【請求項４】
前記識別表示又は前記識別表示と同一または相似の識別表示が、前記蓋部の側面、前記容器本体の側面、又は前記シーリングラベルに複数個付される請求項１から３のいずれか１項に記載の点眼容器。
【請求項５】
前記蓋部の天面に、前記識別表示と同一または相似の識別表示が付される請求項１から４のいずれか１項に記載の点眼容器。
【発明の詳細な説明】
【技術分野】
【０００１】
本発明は、形状、模様若しくは色彩またはこれらの結合である識別表示を付した容器本体と、当該容器本体の取出口に脱着可能に装着される前記識別表示と同一または相似の識別表示を付した蓋部と、を備えた点眼容器に関する。
【背景技術】
【０００２】
一般に点眼容器はシーリングラベルで包装されているが、シーリングラベルの役割として、例えば開封前の未使用容器であることを担保し、また、不正操作による開封を防止することにある（例えば、特許文献１参照）。
【０００３】
特許文献１に記載の点眼容器は、シーリングラベルに蓋部を被覆する上部領域と、容器本体を被覆する下部領域とを備え、その上部領域には、上端縁に沿って帯状の識別用の着色層が設けられている。そして、シーリングラベルの開封時には、上部領域が取り除かれる構造となっている。
【先行技術文献】
【特許文献】
【０００４】
【特許文献１】特開２００８−０６８９０７号公報
【発明の概要】
【発明が解決しようとする課題】
【０００５】
特許文献１に開示された点眼容器では、開封後、蓋部を被覆する上部領域が取り除かれるため、容器本体と蓋部との一体性（共通性）が失われ、結果として多数の点眼容器を所持する使用者にあっては、本来の蓋部とは異なる別の蓋部を誤って装着してしまうことがある。
【０００６】
そこで上記課題に鑑み、本願発明は、容器本体と蓋部に一体性（共通性）のある識別表示を付することによって、識別力に優れた点眼容器を提供することを目的とする。
【課題を解決するための手段】
【０００７】
第１の発明は、形状、模様若しくは色彩またはこれらの結合である識別表示が容器本体の側面に付され、かつ、前記識別表示と同一または相似の識別表示が、前記容器本体の取出口に脱着可能に装着される蓋部の側面に付されることにより、前記容器本体と前記蓋部との一体性が識別可能となる点眼容器であって、前記蓋部を前記容器本体に装着した状態でこれらの識別表示が視認できる、シーリングラベルで包装された点眼容器である。
【０００８】
つまり、第１の発明においては、容器本体の側面および蓋部の側面に識別表示が付され、容器本体および蓋部は識別表示が付されていない透明または半透明のシーリングラベルで包装される（後述する第１実施形態参照）。
このように第一の発明においては、開封前の未使用容器であることを担保するために、また、不正操作による開封を防止するために透明または半透明のシーリングラベルで包装することを前提とするものであるが、シーリングラベルで包装せずとも既に容器本体の側面と蓋部の側面それぞれに識別表示が付されていることに鑑みれば、敢えてシーリングラベルで包装しない点眼容器であっても容器本体と蓋部の一体性を備えており、第一の発明の範囲に含まれる。
【０００９】
第２の発明は、形状、模様若しくは色彩またはこれらの結合である識別表示が容器本体の側面に付され、当該容器本体の取出口に脱着可能な蓋部を前記容器本体に装着した状態で前記識別表示が視認できるようにシーリングラベルで包装される点眼容器において、前記識別表示と同一または相似の識別表示が、前記シーリングラベルのうち、前記蓋部の全部または一部を被覆する上部領域、又は、前記上部領域および前記上部領域と前記容器本体の全部または一部を被覆する下部領域との間に位置する切取領域から構成される領域に付されることにより、前記容器本体と前記蓋部との一体性が識別可能となり、前記切取領域と前記上部領域との境界および前記切取領域と前記下部領域との境界に切取線が設けられ、前記シーリングラベルの開封後において、前記上部領域が前記蓋部に付着していることにより前記容器本体と前記蓋部との一体性が識別可能となる点眼容器である。
【００１０】
つまり、第２の発明においては、容器本体の側面に識別表示が付され、かつ、容器本体は識別表示が付されていない透明または半透明のシーリングラベルで包装され、また、蓋部は識別表示が付されたシーリングラベルで包装される（後述する第２実施形態参照）。
【００１１】
第３の発明は、形状、模様若しくは色彩またはこれらの結合である識別表示が、容器本体の取出口に脱着可能に装着される蓋部の側面に付され、前記蓋部を前記容器本体に装着した状態で前記識別表示が視認できるシーリングラベルで包装される点眼容器において、前記識別表示と同一または相似の識別表示が、前記シーリングラベルのうち、前記容器本体の全部または一部を被覆する下部領域に付されることにより、前記容器本体と前記蓋部との一体性が識別可能となり、前記蓋部の全部または一部を被覆する上部領域と前記下部領域との境界に切取線が設けられ、前記シーリングラベルの開封後において、前記下部領域が前記容器本体に付着していることにより前記容器本体と前記蓋部との一体性が識別可能となる点眼容器である。
【００１２】
つまり、第３の発明においては、容器本体は識別表示が付されたシーリングラベルで包装され、また、蓋部の側面に識別表示が付され、かつ、蓋部は識別表示が付されていない透明または半透明のシーリングラベルで包装される（後述する第３実施形態参照）。
【００１３】
上記第１〜第３の発明のように、容器本体の側面またはシーリングラベルの下部領域に付される形状、模様若しくは色彩またはこれらの結合である識別表示と同一または相似の識別表示を蓋部の側面またはシーリングラベルの上部領域などに付することで、容器本体と蓋部との一体性を容易に認識することができる。また、形状、模様若しくは色彩またはこれらの結合である識別表示は、使用者が称呼しやすく、複数者間においても誤認が生じ難い表示、例えば三角形、正方形、ひし形、円、星型、三日月型、ハート型などの図形、アルファベットやひらがなの一文字をはじめ、様々なバリエーションを取り得るので、点眼容器の内容物が多種類に及ぶ場合でも内容物毎に共通する識別表示を容易に作出することができる。さらに、形状、模様若しくは色彩またはこれらの結合である識別表示は、各表示における色彩に特に制限はないが、同一色または二色とすることが好ましい。形状、模様若しくは色彩またはこれらの結合である識別表示は、容器本体の側面や蓋部の側面、天面に直接印刷してもよく、また、識別表示を印刷した紙やフィルムを容器本体の側面や蓋部の側面、天面に貼付してもよく、さらに点眼容器の成形時に凹凸を持たせた加工や立体的な着色、シーリングラベルについてエンボス加工等を施こせば視覚障害者にも識別を容易にすることができる。
【００１４】
また、開封後も、これら識別表示は容器本体および蓋部の側面に付されたままであり、点眼容器の使用期間中、容器本体と蓋部との一体性は維持され続ける。
【００１５】
なお、前記識別表示又は前記識別表示と同一または相似の識別表示を、前記蓋部の側面、前記容器本体の側面、又は前記シーリングラベルに複数個付すこともできる。この場合、点眼容器の周方向のあらゆる角度から識別表示を目視することが可能となる。
【００１６】
本発明の点眼容器において、さらに容器本体と蓋部の一体性（共通性）を高めるために、前記蓋部の天面に、前記識別表示と同一または相似の識別表示を付すこともできる。
【００１７】
容器本体の側面や蓋部の側面に付された識別表示と同一または相似の識別表示を蓋部の天面に設けることで、点眼容器の上部からも容器本体と蓋部との一体性（共通性）を認識することが可能となる。
【図面の簡単な説明】
【００１８】
【図１】第１実施形態に係る容器本体および蓋部に識別表示を付した斜視図である。
【図２】第１実施形態に係るシーリングラベルの正面図である。
【図３】第１実施形態に係るシーリングラベルの正面図である。
【図４】第１実施形態に係るシーリングラベルを包装した点眼容器の斜視図である。
【図５】第１実施形態に係るシーリングラベルを開封した点眼容器の斜視図である。
【図６】第１実施形態に係る点眼容器に識別表示を付した斜視図である。
【図７】第２実施形態に係る容器本体に識別表示を付した斜視図である。
【図８】第２実施形態に係るシーリングラベルに識別表示を付した正面図である。
【図９】第２実施形態に係るシーリングラベルを包装した点眼容器の斜視図である。
【図１０】第２実施形態に係るシーリングラベルを開封した点眼容器の斜視図である。
【図１１】第２実施形態に係るシーリングラベルに識別表示を付した正面図である。
【図１２】第３実施形態に係る蓋部に識別表示を付した斜視図である。
【図１３】第３実施形態に係るシーリングラベルに識別表示を付した正面図である。
【図１４】第３実施形態に係るシーリングラベルに識別表示を付した正面図である。
【図１５】第３実施形態に係るシーリングラベルを包装した点眼容器の斜視図である。
【図１６】第３実施形態に係るシーリングラベルを開封した点眼容器の斜視図である。
【図１７】その他の実施形態に係るシーリングラベルの正面図である。
【図１８】第１実施形態に係る点眼容器に識別表示を付した斜視図である。
【図１９】第１実施形態に係る点眼容器に識別表示を付した斜視図である。
【図２０】第１実施形態に係る点眼容器に識別表示を付した斜視図である。
【図２１】第１実施形態に係る点眼容器に識別表示を付した斜視図である。
【図２２】第１実施形態に係る点眼容器に識別表示を付した斜視図である。
【発明を実施するための形態】
【００１９】
以下に、本発明に係る点眼容器２の実施形態について、図面に基づいて説明する。本実施形態では、点眼容器２の一例として、点眼容器２がシーリングラベル１に包装される例を説明する。ただし、本発明は、以下の実施形態に限定されることはなく、種々の変形が可能である。
【００２０】
［第１実施形態］
図１には、第１実施形態に係る容器本体２１の側面および蓋部２２の側面に識別表示３ａ，３ｂ（形状、模様若しくは色彩またはこれらの結合）を付した斜視図が示される。図２および図３には、第１実施形態に係るシーリングラベル１の平面図が示される。図４および図５には、本実施形態に係るシーリングラベル１を点眼容器２に包装した状態およびそれを開封した状態として、点眼容器２の斜視図が示される。
【００２１】
点眼容器２は、中央に押圧用の凹部２４を設けた長円柱状の容器本体２１と、外面が多角形状に形成された円錐台状の蓋部２２とを備え、容器本体２１の側面および蓋部２２の側面には、識別表示３ａ，３ｂとして同一または相似の三角形状が一個または複数個（図面の一例では２つ）付されている。ここで、図１には蓋部２２の正面にある識別表示３ｂしか現れていないが、蓋部２２の背面にも識別表示３ｂが付されている。
【００２２】
容器本体２１の側面および蓋部２２の側面に識別表示３ａ，３ｂを付す方法としては、例えば、成形後の点眼容器２に着色を施したり、２色成形といった成形時に異なる色の樹脂を用いて識別表示３ａ，３ｂを付しても良い。また、容器本体２１や蓋部２２に識別表示３ａ，３ｂを付す方法は、容器本体２１の側面や蓋部２２の側面に、識別表示３ａ，３ｂを印刷した紙やフィルムを貼付しても良く、特に限定されない。なお、識別表示３ａ，３ｂは、凹凸を持たせた加工や立体的な着色を施しても良い。
【００２３】
本実施形態におけるシーリングラベル１は、図４に示すように、蓋部２２を容器本体２１に装着した状態で、識別表示３ａ，３ｂが視認できるように点眼容器２に包装される。
識別表示３ａ，３ｂが視認できるようにするためには、シーリングラベル１を透明または半透明で構成したり、識別表示３ａ，３ｂの部分にシーリングラベル１を被覆しない構成にしたりすることが好ましい。
【００２４】
このシーリングラベル１は、図２および図３に示すように、矩形状の樹脂フィルムで構成され、例えば、熱収縮させることで点眼容器２に被覆・保持されるシュリンクラベルである。なお、シーリングラベル１は、シュリンクラベルに限定されるものではなく、ストレッチラベルなどであっても良い。また、シーリングラベル１は、容器本体２１および蓋部２２に巻き付けて熱収縮させることで貼り付けても良いし、シーリングラベル１を予め筒状に形成しておいて、容器本体２１および蓋部２２に外嵌した後、熱収縮させて貼り付けても良い。
【００２５】
図２に示すように、シーリングラベル１は、蓋部２２の全部または一部を被覆する上部領域１１と、容器本体２１の全部または一部を被覆する下部領域１２を備えている。本実施形態における上部領域１１は、蓋部２２の側面および天面２３の一部を被覆し、下部領域１２は、容器本体２１の側面を被覆している。なお、上部領域１１と下部領域１２の被覆範囲は、それぞれ蓋部２２と容器本体２１の全部または一部であればよく、特に限定されない。
【００２６】
上部領域１１と下部領域１２との境界には横ミシン目線１５ａ（切取線）が設けられ、上部領域１１には、上辺に形成された開封用のつまみ部１８ａから横ミシン目線１５ａまで斜めに延びた傾斜ミシン目線１４ａが設けられている。つまみ部１８ａの突出量は、シーリングラベル１の熱収縮特性に応じて捻じれ難くなるよう、適切な長さに設定される。なお、本実施形態におけるつまみ部１８ａの先端形状は、半円弧状であるが、角形状や三角形状のものなど、収縮強度や把持し易さなどを考慮して適宜決定される。また、つまみ部１８ａの位置は、上部領域１１の上辺に限定されず、右辺や左辺に設けても良い。
【００２７】
ここで、本明細書において、「ミシン目線」とは、ミシン針の縫い跡のようにシーリングラベル１の表裏面に貫通する複数の貫通孔（切部１６ａ）が所定間隔を開けて形成された、貫通孔の集合のことをいう。かかるミシン目線は、隣接する貫通孔の間に、貫通処理のされていない部分（不切部１７ａ）が存在する。切部１６ａは、不切部１７ａより長く形成されていることが好ましい。こうすることにより、「ミシン目線」はよりスムーズに破断される。なお、１つの切部１６ａの正面視形状は、細長い直線状、針穴状（打ち抜き略円形状又は略楕円形状）などスムーズに破断され易い形状であれば特に限定されず、図２には、細長い直線状のものが示されている。
【００２８】
本実施形態におけるシーリングラベル１は、傾斜ミシン目線１４ａが、横ミシン目線１５ａとの接点領域をＶ字の切部１６ａで構成し、傾斜ミシン目線１４ａと左右対称に比較的短い追加ミシン目線２５を有している。さらに、横ミシン目線１５ａのうち、傾斜ミシン目線１４ａとの接点領域を比較的大きな不切部１７ａとしている。なお、追加ミシン目線２５を設けなくても良いし、傾斜ミシン目線１４ａと横ミシン目線１５ａの接点領域に比較的大きな不切部１７ａを設けなくても良い。
【００２９】
また、本実施形態におけるシーリングラベル１は、図３に示すようなものでも良い。このシーリングラベル１は、蓋部２２を容器本体２１に装着した状態で、蓋部２２の全部または一部を被覆する上部領域１１と、容器本体２１の全部または一部を被覆する下部領域１２と、上部領域１１と下部領域１２との間に位置する切取領域１３とを備えている。上部領域１１は、蓋部２２の側面および天面２３の一部を被覆し、下部領域１２は、容器本体２１の側面を被覆している。なお、上部領域１１と下部領域１２の被覆範囲は、それぞれ蓋部２２と容器本体２１の全部または一部であればよく、特に限定されない。
【００３０】
切取領域１３と上部領域１１との境界にはミシン目線１４ｂ（切取線）が設けられ、切取領域１３と下部領域１２との境界にはミシン目線１５ｂ（切取線）が設けられている。すなわち、切取領域１３は、横長の帯状であって、一方の端部から点眼容器２にシーリングラベル１を巻き付ける方向に沿った他方の端部まで延設されている。そして、切取領域１３の上下方向に、ミシン目線１４ｂ、１５ｂを介して矩形状の上部領域１１と下部領域１２が形成されている。
【００３１】
また、切取領域１３には、端部に開封用のつまみ部１８ｂが形成されている。本実施形態におけるつまみ部１８ｂは、切取領域１３と一体的に横方向に形成されている。このつまみ部１８ｂの突出量は、シーリングラベル１の熱収縮特性に応じて捻じれ難くなるよう、適切な長さに設定される。
【００３２】
図４および図５に、図２に示すシーリングラベル１を点眼容器２に包装した例を示す。点眼容器２は、つまみ部１８ａを把持して、切取領域１３を点眼容器２の斜め（右下方向）に破断する操作、または、蓋部２２を回転させる操作により、シーリングラベル１を開封して使用する。
【００３３】
蓋部２２を回転させる操作によりシーリングラベル１を開封する場合、傾斜ミシン目線１４ａと横ミシン目線１５ａの接点領域において、Ｖ字の切部１６ａが、横ミシン目線１５ａの不切部１７ａより先に切断され、傾斜ミシン目線１４ａおよび横ミシン目線１５ａが順次破断される。これによって、復元できない状態に開封の痕跡が残るので、改ざんを防止することができる。最終的に、少なくとも上部領域１１は、蓋部２２から取り除かれる。
【００３４】
図５に示すように、点眼容器２のシーリングラベル１を開封すると、少なくとも上部領域１１は取り除かれるが、容器本体２１の側面および蓋部２２の側面には識別表示３ａ，３ｂが付されたままである。従って、夫々の識別表示３ａ，３ｂを照合すれば、容易に容器本体２１と蓋部２２との一体性（共通性）を認識できる。なお、図３に示すシーリングラベル１を点眼容器２に包装した場合でも、容器本体２１の側面および蓋部２２の側面には識別表示３ａ，３ｂが付されたままであるので、容易に容器本体２１と蓋部２２との一体性（共通性）を認識できる。
【００３５】
続いて、容器本体２１の側面および蓋部２２の側面に付される、形状、模様若しくは色彩またはこれらの結合である識別表示３ａ，３ｂの態様について説明する。識別表示３ａ，３ｂは、形状、模様若しくは色彩またはこれらの結合である。点眼容器２に含まれる薬剤成分やその含有量などを考慮して識別表示３ａ，３ｂを作成することが望ましい。
【００３６】
図１および図４に示すように、容器本体２１の側面および蓋部２２の側面には、識別表示３ａ，３ｂとして同一または相似の三角形状が一個または複数個付されている。本実施形態の識別表示３ａ，３ｂは、三角形状に色彩が付されている。
【００３７】
識別表示３ａ，３ｂの形状、模様、色彩を変化させることで、様々なバリエーションを取り得るので、点眼容器２の内容物が多種類に及ぶ場合でも、容易に内容物毎に共通する識別表示３ａ，３ｂを作出することができる。
【００３８】
図５に示すように、点眼容器２において、シーリングラベル１を開封しても、容器本体２１の側面および蓋部２２の側面に識別表示３ａ，３ｂが付されたままであるので、識別表示３ａ，３ｂの識別力が保持され続ける。よって、点眼容器２の使用期間中、容器本体２１と蓋部２２との一体性は維持され、使用者は容器本体２１の識別表示３ａと蓋部２２の識別表示３ｂとを視覚によって認識することで、間違えることなく蓋部２２を容器本体２１に装着することができる。また、識別表示３ａ，３ｂに凹凸を持たせた加工や立体的な着色を施せば、視覚障害者にも識別を容易にすることができる。
【００３９】
蓋部２２の側面に付される２つの識別表示３ｂは、蓋部２２の正面および背面に位置している。また、容器本体２１の側面には、蓋部２２の正面に位置する識別表示３ａの中心に対して左右対称となるように識別表示３ａが２つ付されている。つまり、容器本体２１の２つの識別表示３ａは、図１に示すように、容器本体２１の正面から見て両側部に配置される。なお、容器本体２１や蓋部２２に付される識別表示３ａ，３ｂは１つ、２つに限定されることはなく、３つ以上であってもよい。
【００４０】
容器本体２１の側面や蓋部２２の側面に複数個の識別表示３ａ，３ｂを付することで、あらゆる方向から識別表示３ａ，３ｂを認識することが可能となり、蓋部２２を容器本体２１に誤装着するのを確実に防止できる。
【００４１】
また、開封時に取り除かれないシーリングラベル１の下部領域１２には、例えば白地である矩形状の文字表示部を備えてもよく、文字表示部には、点眼剤の薬剤成分、製造番号などを記載するのが望ましい。
【００４２】
図１に示すように、蓋部２２の天面２３にも、識別表示３ａ，３ｂと同一または相似の識別表示３ｃを設けることができる。天面２３に設けられる識別表示３ｃは、蓋部２２と一体に成形されても良いし、蓋部２２の天面２３に、別途識別表示３ｃが印刷された紙やフィルムを貼付しても良い。天面２３に識別表示３ｃを設けることにより、蓋部２２の上部からも容器本体２１と蓋部２２との一体性を認識することができる。なお、天面２３に識別表示３ｃを付す方法は、上述した容器本体２１や蓋部２２と同様、様々な態様を取ることができる。また、天面２３にある識別表示３ｃを省略しても良い。
【００４３】
図６には、容器本体２１の側面、蓋部２２の側面や天面２３に付される識別表示３ａ，３ｂ，３ｃの異なる態様が示される。
【００４４】
蓋部２２の側面、容器本体２１の側面、および蓋部２２の天面２３に、識別表示３ａ，３ｂ，３ｃとして同一または相似の円形状が一個または複数個付されている。また、蓋部２２の側面および天面２３にある識別表示３ｂ，３ｃの内部に、点眼容器２の薬剤含有率を記載している。さらに、容器本体２１の側面のうち正面中央付近となる位置に、蓋部２２の側面および天面２３にある識別表示３ｂ，３ｃの内部に記載された薬剤含有率と共通の薬剤含有率を記載している。
【００４５】
なお、薬剤含有率の一例として、１ｍｌの点眼液に対して１ｍｇの薬剤を含有していることを意味する数字（０．１％）を記載しているように、薬剤含有率に応じた値を適宜記載することができる。また、容器本体２１の側面や蓋部２２の側面に付される識別表示３ａ，３ｂとして、同一または相似の円形状が夫々２つである例を示したが、識別表示３ａ，３ｂの種類や数量は特に限定されない。また、容器本体２１の側面にある識別表示３ａの内部に薬剤含有率を記載しても良いし、シーリングラベル１の下部領域１２に薬剤含有率を記載しても良い。さらに、蓋部２２の側面にある２つの識別表示３ｂのいずれか一方にのみ薬剤含有率を記載しても良いし、天面２３にある識別表示３ｃや薬剤含有率を省略しても良い。
【００４６】
このように、例えば同一の形状の識別表示３ａ，３ｂ，３ｃが付され、薬剤含有率の異なる２種類の点眼容器２があった場合でも、容器本体２１の側面、蓋部２２の側面および天面２３には、共通の薬剤含有率が記載されているので、蓋部２２を容器本体２１に誤装着するといった不都合を確実に防止できる。
【００４７】
［第２実施形態］
図７〜図１１を用いて、第１実施形態と異なる構成を主として説明する。なお、図面の理解を助けるため、第１実施形態と同一の符号を用いて説明するが、特に限定されない。
【００４８】
図７には、第２実施形態に係る容器本体２１の側面に識別表示３ａ（形状、模様若しくは色彩またはこれらの結合）を付した斜視図が示される。図８には、第２実施形態に係るシーリングラベル１の平面図が示される。図９および図１０には、本実施形態に係るシーリングラベル１を点眼容器２に包装した状態およびそれを開封した状態として、点眼容器２の斜視図が示される。
【００４９】
点眼容器２は、容器本体２１と、蓋部２２とを備え、容器本体２１の側面には、形状、模様若しくは色彩またはこれらの結合である識別表示３ａとして三角形状が一個または複数個（図面の一例では２つ）付されている。なお、点眼容器２の形状や容器本体２１の側面に識別表示３ａを付す方法は、第１実施形態と同様である。
【００５０】
本実施形態におけるシーリングラベル１は、図９に示すように、蓋部２２を容器本体２１に装着した状態で、容器本体２１の側面に付された識別表示３ａが視認できるように点眼容器２に包装される。識別表示３ｂが視認できるようにするためには、シーリングラベル１を透明または半透明で構成したり、識別表示３ａの部分にシーリングラベル１を被覆しない構成にしたりすることが好ましい。なお、本実施形態におけるシーリングラベル１の形態は、図８に示すように、上部領域１１に識別表示３ｂが付されている点を除いて、第一実施形態の図３に示されるシーリングラベル１と同様である。
【００５１】
図８および図９に示すように、シーリングラベル１の上部領域１１には、容器本体２１の側面に付された識別表示３ａと同一または相似の三角形状（識別表示３ｂ）が一個または複数個（図面の一例では２つ）付されている。本実施形態の識別表示３ａ，３ｂは、三角形状に色彩が付されている。
【００５２】
具体的には、シーリングラベル１の上部領域１１には、その左右方向に識別表示３ｂが２つ付されている。上部領域１１の２つの識別表示３ｂは、シーリングラベル１を点眼容器２に包装したとき、夫々の識別表示３ａ，３ｂが、蓋部２２の正面および背面に位置するように配置するのが望ましい。なお、容器本体２１の側面や上部領域１１に付される識別表示３ａ，３ｂは１つ、２つに限定されることはなく、３つ以上であってもよい。
【００５３】
容器本体２１の側面や上部領域１１に複数個の識別表示３ａ，３ｂを付することで、あらゆる方向から識別表示３ａ，３ｂを認識することが可能となり、蓋部２２を容器本体２１に誤装着するのを確実に防止できる。また、第１実施形態同様、蓋部２２の天面２３にも識別表示３ｃを付すことが好ましい。
【００５４】
点眼容器２は、図９および図１０に示すように、つまみ部１８ｂを把持して、切取領域１３を点眼容器２の周方向に沿って破断する操作により、シーリングラベル１を開封して使用する。なお、本実施形態におけるつまみ部１８ｂの先端形状は、半円弧状であるが、角形状や三角形状のものなど、収縮強度や把持し易さなどを考慮して適宜決定される。また、つまみ部１８ｂの位置は、切取領域１３の端部に限定されない。また、つまみ部１８ｂを、上部領域１１または下部領域１２の左辺から突出させても良い。
【００５５】
シーリングラベル１は、少なくとも上部領域１１の裏面の所要範囲に粘着剤が付与されていることが好ましい。図１０に示すように、点眼容器２のシーリングラベル１を開封すると、切取領域１３は取り除かれるが、少なくとも上部領域１１は、蓋部２２に付着したままである。
【００５６】
点眼容器２において、シーリングラベル１のつまみ部１８ｂを把持して開封しても、少なくとも上部領域１１が蓋部２２に付着したままであるので、容器本体２１の識別表示３ａと共に点眼容器２の識別力が保持され続ける。よって、点眼容器２の使用期間中、容器本体２１と蓋部２２との一体性は維持され、使用者は容器本体２１の識別表示３ａと蓋部２２の識別表示３ｂを視覚によって認識することで、間違えることなく蓋部２２を容器本体２１に装着することができる。また、例えば容器本体２１の成形時に凹凸を持たせた加工や立体的な着色、シーリングラベル１についてエンボス加工等を施こせば視覚障害者にも識別を容易にすることができる。
【００５７】
図１１には、少なくとも上部領域１１を含む領域の表面に付される識別表示３ｂの異なる態様が示される。本実施形態における識別表示３ｂは、上部領域１１と切取領域１３とから構成される領域に付されている。
【００５８】
なお、これらの態様以外にも、複数個の識別表示３ｂを、上部領域１１、上部領域１１と切取領域１３とから構成される領域の組み合わせで、適宜付すことができる。
【００５９】
このように識別表示３ｂが切取領域１３に付される態様であっても、元の形状が想像できるように上部領域１１に識別表示３ｂが形成されているので、切取領域１３を破断した後であっても識別力は失われない。また、識別表示３ｂのうち切取領域１３の部分が欠けることによって、シーリングラベル１の開封の有無を判別することが可能となる。
【００６０】
［第３実施形態］
図１２〜図１６を用いて、第１実施形態および第２実施形態と異なる構成を主として説明する。なお、図面の理解を助けるため、第１実施形態および第２実施形態と同一の符号を用いて説明するが、特に限定されない。
【００６１】
図１２には、第３実施形態に係る蓋部２２の側面に識別表示３ｂ（形状、模様若しくは色彩またはこれらの結合）を付した斜視図が示される。図１３および図１４には、第３実施形態に係るシーリングラベル１の平面図が示される。図１５および図１６には、本実施形態に係るシーリングラベル１を点眼容器２に包装した状態およびそれを開封した状態として、点眼容器２の斜視図が示される。
【００６２】
点眼容器２は、容器本体２１と、蓋部２２とを備え、蓋部２２の側面には、形状、模様若しくは色彩またはこれらの結合である識別表示３ｂとして三角形状が一個または複数個（図面の一例では２つ）付されている。なお、点眼容器２の形状や蓋部２２の側面に識別表示３ｂを付す方法は、第１実施形態と同様である。
【００６３】
本実施形態におけるシーリングラベル１は、図１５に示すように、蓋部２２を容器本体２１に装着した状態で、蓋部２２に付された識別表示３ｂが視認できるように点眼容器２に包装される。識別表示３ｂが視認できるようにするためには、シーリングラベル１を透明または半透明で構成したり、識別表示３ｂの部分にシーリングラベル１を被覆しない構成にしたりすることが好ましい。なお、本実施形態にかかるシーリングラベル１の形態は、図１３および図１４に示すように、下部領域１２に識別表示３ａが付されている点を除いて、第一実施形態の図２および図３に示されるシーリングラベル１と同様である。
【００６４】
図１３および図１４に示すように、シーリングラベル１の下部領域１２には、シーリングラベル１を点眼容器２に包装したとき、容器本体２１の正面から見て左右対称となるように識別表示３ａが２つ付されている。なお、下部領域１２や蓋部２２の側面に付される識別表示３ａ，３ｂは、１つ、２つに限定されることはなく、３つ以上であってもよい。下部領域１２や蓋部２２の側面に複数個の識別表示３ａ，３ｂを付することで、あらゆる方向から識別表示３ａ，３ｂを認識することが可能となり、蓋部２２を容器本体２１に誤装着するのを確実に防止できる。
【００６５】
図１５および図１６に、図１３に示すシーリングラベル１を点眼容器２に包装した例を示す。点眼容器２は、つまみ部１８ａを把持して、切取領域１３を点眼容器２の斜め（右下方向）に破断する操作、または、蓋部２２を回転させる操作により、シーリングラベル１を開封して使用する。
【００６６】
本実施形態にかかるシーリングラベル１は、下部領域１２の裏面の所要範囲に粘着剤が付与されていることが好ましい。図１６に示すように、点眼容器２のシーリングラベル１を開封すると、上部領域１１や切取領域１３は取り除かれるが、少なくとも識別表示３ａが付された下部領域１２は、容器本体２１に付着したままである。従って、下部領域１２と蓋部２２の側面とに付された夫々の識別表示３ａ，３ｂを照合すれば、容易に容器本体２１と蓋部２２との一体性（共通性）を認識できる。また、例えば蓋部２２の成形時に凹凸を持たせた加工や立体的な着色、シーリングラベル１についてエンボス加工等を施こせば視覚障害者にも識別を容易にすることができる。なお、第１実施形態同様、蓋部２２の天面２３にも、識別表示３ａ，３ｂと同一または相似の識別表示３ｃを付すことが好ましい。
【００６７】
［その他の実施形態］
（１）上述した実施形態に係るシーリングラベル１は、図１７に示すように構成しても良い。このシーリングラベル１は、蓋部２２を容器本体２１に装着した状態で、蓋部２２の全部または一部を被覆する上部領域１１と、容器本体２１の全部または一部を被覆する下部領域１２と、上部領域１１と下部領域１２との間に位置する切取領域１３とを備えている。切取領域１３には、一方の端部から点眼容器２にシーリングラベル１を巻き付ける方向に沿った他方の端部まで延出する第１領域１９と、第１領域１９から上部領域１１の方向に延出する第２領域２０とが形成されている。この第２領域２０を傾斜して構成しているので、シーリングラベル１の開封時につまみ部１８ｃを把持し易い。なお、第２領域２０は傾斜させずに、第１領域１９に直交するように形成しても良い。第２領域２０は、切部１６ｃがミシン目線１４ｃまで連接した右辺と、切部１６ｃと不切部１７ｃとがミシン目線１５ｃに連接した左辺とを有する。これは、つまみ部１８ｃを把持し易いように、右辺の切部１６ｃを大きく形成し、左辺に不切部１７ｃを設けたものである。なお、右辺にも不切部１７ｃを設けても良い。
（２）本発明における容器本体２１、蓋部２２、シーリングラベル１に付される識別表示３ａ，３ｂ，３ｃは、例えば図１８に示すような菱形状、図１９に示すような星形状、図２０に示すような月形状、図２１に示すようなハート形状、図２２に示すようなＣ形状であっても良い。これらの図形は一例にすぎず、形状、模様、色彩を組み合わせることで容器本体２１、蓋部２２、シーリングラベル１に様々な識別表示３ａ，３ｂ，３ｃを付することができる。
（３）上述した実施形態におけるシーリングラベル１の切取線の形状は、どのようなものであっても良い。また、第１実施形態においては、シーリングラベル１に切取線を設けずに、点眼容器２からシーリングラベル１を剥ぎ取る形態としても良い。この場合でも、容器本体２１の側面および蓋部２２の側面に識別表示３ａ，３ｂが付されているので、容器本体２１と蓋部２２との一体性（共通性）を認識することができる。
（４）上述した実施形態では、シーリングラベル１を矩形状に形成したが、点眼容器２の形状に合わせて包装できる形状であれば、例えば、長円形状のものであっても良く、特に限定されない。
（５）上述した実施形態では、つまみ部１８ａ，１８ｂ，１８ｃをシーリングラベル１と一体で形成したが、つまみ部１８ａ，１８ｂ，１８ｃをシーリングラベル１とは別々に形成して、シーリングラベル１に接着しても良い。これにより、つまみ部１８ａ，１８ｂ，１８ｃの先端方向を、上下・左右のあらゆる方向に配置できる。
（６）上述した実施形態のごとく、蓋部２２を円錐台状、および、容器本体２１を長円柱状に形成することに限定されず、例えば双方を多角柱状に形成しても良く、どのような形状であっても良い。
【産業上の利用可能性】
【００６８】
本発明は、シーリングラベルで包装された点眼容器に利用できる。
【符号の説明】
【００６９】
１    シーリングラベル
１１  上部領域
１２  下部領域
１３  切取領域
１４ａ，１４ｂ，１４ｃ  ミシン目線（切取線）
１５ａ，１５ｂ，１５ｃ  ミシン目線（切取線）
２    点眼容器
２１  容器本体
２２  蓋部
２３  天面
３ａ  識別表示（形状、模様若しくは色彩またはこれらの結合）
３ｂ  同一または相似の識別表示（形状、模様若しくは色彩またはこれらの結合）
３ｃ  同一または相似の識別表示（形状、模様若しくは色彩またはこれらの結合）
【図１】
2016078941.tif 000003
【図２】
2016078941.tif 000004
【図３】
2016078941.tif 000005
【図４】
2016078941.tif 000006
【図５】
2016078941.tif 000007
【図６】
2016078941.tif 000008
【図７】
2016078941.tif 000009
【図８】
2016078941.tif 000010
【図９】
2016078941.tif 000011
【図１０】
2016078941.tif 000012
【図１１】
2016078941.tif 000013
【図１２】
2016078941.tif 000014
【図１３】
2016078941.tif 000015
【図１４】
2016078941.tif 000016
【図１５】
2016078941.tif 000017
【図１６】
2016078941.tif 000018
【図１７】
2016078941.tif 000019
【図１８】
2016078941.tif 000020
【図１９】
2016078941.tif 000021
【図２０】
2016078941.tif 000022
【図２１】
2016078941.tif 000023
【図２２】
2016078941.tif 000024